(57)【要約】【課題】安価な構成で、良好な画像形成を保つことができる画像形成装置を提供する。【解決手段】画像形成装置１１は、静電容量センサー２５と、トナー量検知部２６と、判断部２７とを備える。静電容量センサー２５は、トナーコンテナ２３から現像ユニット３１に至るトナー２９の供給路２８に設けられており、供給路２８を通過する際の電荷量およびトナー２８の比誘電率を検知する。トナー量検知部２６は、静電容量センサー２５により検知された電荷量から、供給路２８を通過するトナー２９の量を検知する。判断部２７は、静電容量センサー２５により検知されたトナー２９の比誘電率が、所定の範囲内にあるか否かを判断する。【選択図】図２
2019003121.tif 000002
【特許請求の範囲】
【請求項１】
画像を形成する画像形成装置であって、
トナー像を形成する現像ユニットと、
前記画像形成装置に着脱可能に設けられており、前記現像ユニットにトナーを供給するトナーコンテナと、
前記トナーコンテナから前記現像ユニットに至る前記トナーの供給路に設けられており、前記供給路を通過する際の電荷量および前記トナーの比誘電率を検知する静電容量センサーと、
前記静電容量センサーにより検知された電荷量から、前記供給路を通過する前記トナーの量を検知するトナー量検知部と、
前記静電容量センサーにより検知された前記トナーの比誘電率が、所定の範囲内にあるか否かを判断する判断部とを備える、画像形成装置。
【請求項２】
前記判断部により前記トナーの比誘電率が前記所定の範囲外であると判断されれば、前記トナーに非純正トナーが混入されている旨を表示する表示部をさらに備える、請求項１に記載の画像形成装置。
【請求項３】
前記判断部は、前記トナーの比誘電率が前記所定の範囲の上限値である第一の値よりも大きい第二の値以上であると判断されれば、画像形成の動作を停止するよう制御する、請求項１または請求項２に記載の画像形成装置。
【請求項４】
前記表示部は、前記判断部により前記トナーの比誘電率が前記第二の値以上であると判断されれば、前記トナーコンテナの交換を促す旨を表示する、請求項３に記載の画像形成装置。
【請求項５】
前記供給路のうち、前記静電容量センサーに対してトナー供給方向の上流側に設けられ、前記トナーコンテナから供給される前記トナーを帯電させる帯電機構と、前記静電容量センサーに対してトナー供給方向の下流側に設けられ、前記帯電機構により帯電させた前記トナーを除電する除電機構とを含む、請求項１〜請求項４のいずれか１項に記載の画像形成装置。
【請求項６】
前記静電容量センサーは、前記トナーと非接触で前記トナーの比誘電率を検知する、請求項１〜請求項５のいずれか１項に記載の画像形成装置。
【請求項７】
前記静電容量センサーは、前記画像形成装置に着脱可能に設けられている、請求項１〜請求項６のいずれか１項に記載の画像形成装置。
【発明の詳細な説明】
【技術分野】
【０００１】
この発明は、画像形成装置に関するものである。
【背景技術】
【０００２】
複合機に代表される画像形成装置においては、画像データを基に、感光体に対して光を照射し、感光体上に静電潜像を形成する。その後、形成した静電潜像の上に帯電したトナーを供給して可視画像とした後、用紙に転写して定着させ、装置外に出力される。
【０００３】
画像形成装置においては、トナーといった現像剤を用いて現像を行う現像装置が備えられている。現像装置は、現像剤を回転体等により回転させて帯電させ、静電潜像に電気的に現像剤を付着させることにより現像を行う。現像装置には、現像により消費するトナーが、画像形成装置に着脱可能なトナーコンテナにより適宜供給される。トナーの供給に関する技術が、特開２０１３−２０１９２号公報（特許文献１）、および特開平９−２８１７８６号公報（特許文献２）に開示されている。
【０００４】
特許文献１に開示の画像形成装置は、トナーコンテナと、前記トナーコンテナからトナーを補給される現像器と、前記トナーコンテナから前記現像器へ補給されるトナーの補給量を測定する磁気式流量センサーと、前記磁気式流量センサーにより測定されたトナーの補給量に基づいて、前記トナーコンテナから前記現像器へのトナー補給を制御するコントローラーとを備えることを特徴としている。
【０００５】
また、特許文献２に開示の電子写真装置に備えられるトナーエンド検知装置は、トナーを収納しているトナー収容室と、該トナー収容室内において回転され、該トナー収容室内のトナーを現像器に補給するアジテータと、前記トナー収容室に取り付けられ、該トナー収容室内におけるトナーの厚さを検出するトナーセンサとを有し、該トナーセンサのアナログ出力電圧が、前記トナー収容室内の前記アジテータの回転によって変動することを利用し、該アナログ出力電圧の変動よりトナーエンドを検知することを特徴としている。
【先行技術文献】
【特許文献】
【０００６】
【特許文献１】特開２０１３−２０１９２号公報
【特許文献２】特開平９−２８１７８６号公報
【発明の概要】
【発明が解決しようとする課題】
【０００７】
画像形成装置においては、良好な画像形成を保つべく、現像により消費されたトナーの消費量を検知し、適切な量のトナーを補給する必要がある。また、画像形成装置においては、それぞれの画像形成装置に適した純正トナーが用いられる。純正トナーは、画像形成装置を製造する際に、画像形成装置と共に開発されるものであり、画像形成装置における良好な画像形成を保つ上で必要となる。すなわち、純正トナーではない非純正トナーを用いると、良好な画像形成を保つことができないばかりか、画像形成装置に悪影響を及ぼすおそれもある。したがって、非純正トナーがより多く用いられることをできるだけ排除することが望まれる。上記した特許文献１および特許文献２に開示の技術では、このような要望に対応することはできない。
【０００８】
なお、画像形成装置に着脱可能なトナーコンテナについて、予期せぬ開封を気圧センサー等により検知して、この検知に基づいて純正トナーと非純正トナーとを判別する技術もあるが、このような技術ではトナーコンテナ一つ一つに上記した気圧センサーを設けなければならず、コストアップの要因となり、好ましくない。
【０００９】
この発明の目的は、安価な構成で、良好な画像形成を保つことができる画像形成装置を提供することである。
【課題を解決するための手段】
【００１０】
この発明に係る画像形成装置は、画像を形成する。画像形成装置は、現像ユニットと、トナーコンテナと、静電容量センサーと、トナー量検知部と、判断部とを備える。現像ユニットは、トナー像を形成する。トナーコンテナは、画像形成装置に着脱可能に設けられており、現像ユニットにトナーを供給する。静電容量センサーは、トナーコンテナから現像ユニットに至るトナーの供給路に設けられており、供給路を通過する際の電荷量およびトナーの比誘電率を検知する。トナー量検知部は、静電容量センサーにより検知された電荷量から、供給路を通過するトナーの量を検知する。判断部は、静電容量センサーにより検知されたトナーの比誘電率が、所定の範囲内にあるか否かを判断する。
【発明の効果】
【００１１】
このような画像形成装置によれば、静電容量センサーにより電荷量を検知し、トナー量を検知することとしている。そうすると、検知結果に基づいて、トナー補給量の算出に利用することができる。また、判断部は、検知されたトナーの比誘電率が、所定の範囲内にあるか否かを判断する。そうすると、この判断結果を画像形成に反映させることができる。したがって、非純正トナーの混入による画像形成への影響を低減することができる。この場合、画像形成装置が上記した静電容量センサー等を備える構成であるため、画像形成装置に着脱可能なトナーコンテナ一つ一つに上記したセンサーを設ける必要はない。その結果、このような画像形成装置は、安価な構成で、良好な画像形成を保つことができる。
【図面の簡単な説明】
【００１２】
【図１】この発明の一実施形態に係る画像形成装置を複合機に適用した場合の複合機の外観を示す概略図である。
【図２】図１に示す複合機の構成を示すブロック図である。
【図３】画像形成部周辺の構成を示す図である。
【図４】複合機において画像を形成する場合の動作を示すフローチャートである。
【図５】静電容量センサーの構成の一部を示す断面図である。
【図６】静電容量センサーの構成の一部を示す断面図である。
【図７】非純正トナーである旨を表示した表示画面の一例を示す図である。
【図８】この発明の他の実施形態に係る複合機に備えられる画像形成部周辺を示す図である。
【発明を実施するための形態】
【００１３】
以下、この発明の実施の形態を説明する。図１は、この発明の一実施形態に係る画像形成装置を複合機に適用した場合の複合機１１の外観を示す図である。図２は、図１に示す複合機１１の構成を示すブロック図である。なお、以下の図面において同一または相当する部分には同一の参照番号を付しその説明は繰返さない。
【００１４】
図１および図２を参照して、複合機１１は、制御部１２と、操作部１３と、画像読み取り部１４と、画像形成部１５と、給紙カセット１６と、記憶部としてのハードディスク１７と、ネットワークと接続するためのネットワークインターフェース部１８と、トナー供給ローラー等を含むトナーコンテナ２３と、複合機１１内において一時的にトナーを貯蔵する中間ホッパー２４と、静電容量センサー２５とを備える。
【００１５】
制御部１２は、複合機１１全体の制御を行う。なお、制御部１２は、ＣＰＵ（Ｃｅｎｔｒａｌ  Ｐｒｏｃｅｓｓｉｎｇ  Ｕｎｉｔ）等から構成されており、一時的にデータを記憶する主記憶メモリ１９を含む。操作部１３は、複合機１１側から発信される情報やユーザーの入力内容を表示するタッチパネル型式の表示部としての表示画面２１を含む。操作部１３は、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または載置台上にセットされた原稿の画像を読み取る。給紙カセット１６は三つ設けられており、それぞれ複数枚の用紙をその内部に収納することができる。画像形成部１５は、画像読み取り部１４により読み取られた原稿の画像データやネットワークを介して送信された画像データを基に、給紙カセット１６のいずれかから搬送されてきた用紙に画像を形成する。ハードディスク１７は、送信された画像データや入力された画像形成条件等、画像形成に関するデータを記憶する。
【００１６】
次に、画像形成部１５周辺の構成について説明する。図３は、画像形成部１５周辺の構成を示す図である。図３を参照して、画像形成部１５は、感光体３２と、感光体３２を帯電させる帯電器３３と、画像データを基に感光体３２の表面に露光する露光器３４と、感光体３２の表面にトナー２９を供給する現像ユニット３１と、感光体３２上に形成されたトナー像を用紙側に転写させる転写器３７と、用紙への転写後、感光体３２上に残留したトナー２９等のクリーニングを行うクリーニングユニット３８と、感光体３２上に残留した電荷を除去する除電ランプ４２と、一対の定着ローラーを含み、トナー像を用紙に定着させる定着器４３とを備える。
【００１７】
感光体３２は、図３中の矢印Ｒ１で示す方向に回転する。なお、トナー２９の供給方向およびトナー像を転写させる用紙の搬送方向は、矢印Ｄ１で示される。帯電器３３により感光体３２を帯電させる。そして、露光器３４により画像読み取り部１４により読み取られた画像データ等に基づいて露光する。そうすると、感光体３２の表面に静電潜像が形成される。現像ユニット３１は、トナー２９を収容する現像容器３５と、回転によりトナー２９を帯電させて感光体３２にトナー２９を供給する現像ローラー３６とを含む。現像ユニット３１により帯電されたトナー２９が感光体３２の表面に供給され、感光体３２の表面にトナーによる可視画像、すなわち、トナー像が形成される。形成されたトナー像は、転写器３７によって用紙側に転写される。トナー像が転写された用紙は、定着器４３側に搬送され、定着器４３によってトナー像が用紙に定着される。クリーニングユニット３８は、感光体３２上に残留したトナー２９を回転により除去するクリーニングローラー３９と、ゴム製の板状であって、感光体３２の表面に当接するクリーニングブレード４１とを含む。転写器３７によって用紙側に転写されずに感光体３２上に残留したトナー２９は、クリーニングローラー３９およびクリーニングブレード４１によって除去される。また、感光体３２上に残留した電荷については、除電ランプ４２により除去される。
【００１８】
現像ユニット３１において、現像、すなわち、感光体３２側へのトナー２９の供給により、現像容器３５内のトナー２９が消費される。消費されたトナー２９の分量だけ、現像容器３５内に供給される。トナーコンテナ２３には、現像ユニット３１に供給されるトナー２９が充填されている。トナーコンテナ２３から中間ホッパー２４を介して、トナー２９が通過する供給路２８から現像容器３５内にトナー２９が供給される。すなわち、トナーコンテナ２３は、トナー２９を現像ユニット３１に供給する。トナーコンテナ２３は、複合機１１に着脱可能に設けられている。
【００１９】
なお、トナーコンテナ２３には、純正トナー、すなわち、複合機１１の開発者が複合機１１に適したトナー２９として提供するトナー２９が充填されている。このようなトナー２９については、予め複合機１１の開発者等によりトナー２９の比誘電率が測定されているものである。しかし、交換用として市販されているトナーコンテナ２３の中には、非純正トナー、すなわち、成分としては類似しているが、複合機１１の開発者が提供するものではなく、成分の異なるトナーが充填されたトナーコンテナ２３もある。このような非純正トナーは、画質を保証するものでもなく、非純正トナーの使用を続けると複合機１１に対して悪影響を及ぼすおそれがある。
【００２０】
静電容量センサー２５は、トナーコンテナ２３から現像ユニット３１、具体的には、現像ユニット３１に含まれる現像容器３５に至るトナー２９の供給路２８に設けられている。静電容量センサー２５は、供給路２８を通過する際の電荷量およびトナー２９の比誘電率を検知する。
【００２１】
ここで、制御部１２の構成について説明する。図２を再び参照して、制御部１２は、トナー量検知部２６と、判断部２７とを備える。トナー量検知部２６は、静電容量センサー２５により検知された電荷量から、供給路２８を通過するトナー２９の量を検知する。判断部２７は、静電容量センサー２５により検知されたトナー２９の比誘電率が、所定の範囲内にあるか否かを判断する。具体的には、判断部２７は、静電容量センサー２５により検知されたトナー２９の比誘電率が、設定された所定の範囲の上限値である第一の値以上であるか否か、および設定された所定の範囲の下限値以下であるか否かを判断する。これらの構成については、後に詳述する。
【００２２】
次に、複合機１１において画像を形成する場合について説明する。図４は、複合機１１において画像を形成する場合の動作を示すフローチャートである。図４を参照して、ユーザーからの操作部１３の画像形成の要求の受付により画像形成を開始すると（図４において、ステップＳ１１、以下、「ステップ」を省略する）、トナー２９が消費されていく。そして、消費されたトナー２９の分量だけトナー２９の供給が開始される（Ｓ１２）。すなわち、トナーコンテナ２３から中間ホッパー２４を介し、供給路２８を通過させて、トナー２９が現像容器３５内に補給される。ここで、トナー量検知部２６は、静電容量センサー２５により電荷量を検知し、トナー量を検知する（Ｓ１３）。また、静電容量センサー２５は、トナー２９の比誘電率を検知する（Ｓ１４）。判断部２７は、静電容量センサー２５により検知されたトナー２９の比誘電率が、所定の範囲内にあるか否かを判断する。具体的には、判断部２７は、トナー２９の比誘電率が第一の値以上であるか否か、トナー２９の比誘電率の下限値以下であるか否かを判断する（Ｓ１５）。
【００２３】
ここで、静電容量センサー２５によるトナー２９の比誘電率の検知について説明する。図５および図６は、静電容量センサー２５の構成の一部を示す断面図である。図５およびを参照して、静電容量センサー２５は、一対の電極４６ａ、４６ｂを含む。プラス側の電極４６ａおよびマイナス側の電極４６ｂはそれぞれ間隔ｄをあけて設けられている。間隔ｄは、電極４６ａ、４６ｂの対向するそれぞれの面４７ａ、４７ｂの間隔である。すなわち、供給路２８の一部において、一対の電極４６ａ、４６ｂの間をトナー２９が通過する際に、トナー２９の比誘電率が検知される構成である。なお、図５においては、トナー２９が電極４６ａ、４６ｂ間に５０％含まれている状態である。図６においては、トナー２９が電極４６ａ、４６ｂ間に１００％含まれている状態である。
【００２４】
静電容量センサー２５において、電荷量は、底面４８ａから積載されたトナー２９の上面４８ｂまでの高さｈ１に応じて変化し、これに基づいてトナー量が検知される。そしてトナー量の検知結果に基づいて、例えば、供給されたトナー量を積算することにより、トナー２９の補給量が算出される。高さｈ１は、電極４６ａ、４６ｂの全体の高さに対して５０％の高さである。また、高さｈ２は、電極４６ａ、４６ｂの全体の高さに対して１００％の高さである。電極４６ａ、４６ｂのそれぞれの面積および間隔ｄは変わらないため、底面４８ａから積載されたトナー２９の上面４８ｂまでの高さｈ１、ｈ２に応じて電極４６ａ、４６ｂ間に含まれるトナー２９の比誘電率が検知される。
【００２５】
ここで、純正トナーの比誘電率を３、第一の非純正トナーＢ１の比誘電率を５、第一の非純正トナーＢ１とは異なる第二の非純正トナーＢ２の比誘電率を２、大気の比誘電率を１とする。そうすると、静電容量センサー２５により検知された電荷量の値に基づき、以下のようにしてトナー２９の比誘電率が検知される。なお、Ｑ＝ＣＶ（Ｑ：電荷量（Ｃ）、Ｃ：静電容量（Ｆ）、Ｖ：電極間電圧（Ｖ））とする。また、Ｃ＝εｒ・ε０・Ｓ／ｄ（εｒ：比誘電率、ε０：誘電率（Ｆｍ−１）、Ｓ：電極面積（ｍ２）、ｄ：電極間距離（ｍ））とする。これらの式を用いてトナー２９の比誘電率を検知する。なお、複合機１１を開発し、市場にトナーコンテナ２３を提供している者は、純正トナーの比誘電率を把握しているものである。また、上記した所定の範囲については、純正トナーの比誘電率である３に検知誤差を考慮した範囲、例えば、２．５〜３．５の範囲内とすることができる。
【００２６】
図５に示すように電極間のトナー量が５０％であるとすると、トナー２９が純正トナーだけであった場合、電極間の比誘電率は、３×０．５＋１×０．５＝２となる。トナー２９が非純正トナーＢ１のみであった場合、電極間の比誘電率は、５×０．５＋１×０．５＝３となる。トナー２９が非純正トナーＢ２のみであった場合、電極間の比誘電率は、２×０．５＋１×０．５＝１．５となる。また、電極間のトナー量が図６に示すように１００％であるとすると、トナー２９が純正トナーだけであった場合、電極間の比誘電率は、３×１＋１×０＝３となる。トナー２９が非純正トナーＢ１のみであった場合、電極間の比誘電率は、５×１＋１×０＝５となる。トナー２９が非純正トナーＢ２のみであった場合、電極間の比誘電率は、２×１＋１×０＝２となる。すなわち、トナー量が１００％の際に、トナーコンテナ２３に非純正トナーＢ１や非純正トナーＢ２が充填されていた場合においては、上記した比誘電率５や比誘電率２といった値が検知されることとなる。
【００２７】
ここで、トナー量が１００％であった場合について考える。純正トナーが７５％であり、これに非純正トナーＢ１が２５％混入してトナー量が１００％であった場合、比誘電率は、３×０．７５＋５×０．２５＝３．５となる。ここで、第一の値として３．５が設定されていた場合、判断部２７によりトナー２９の比誘電率は、第一の値以上であると判断される（Ｓ１５において、ＹＥＳ）。すなわち、判断部２７は、静電容量センサー２５により検知されたトナー２９の比誘電率が第一の値以上であれば、比誘電率の検知の誤差ではなく、非純正トナーが混入していると判断する。この第一の値は、画像形成を続行するが、非純正トナーが混入していることを表示により報知するレベルの値である。なお、この判断については、最初は純正トナーが充填されているトナーコンテナ２３を用いていたが、途中から非純正トナーが充填されているトナーコンテナ２３を用い出した場合、徐々にトナー２９の比誘電率が変わっていくものである。すなわち、例えば、複合機１１によるプリントを開始してから連続して数分を超えると所定の範囲内にならないことになる。
【００２８】
その後、判断部２７は、検知されたトナー２９の比誘電率が第一の値よりも高い第二の値以上であるか否かを判断する（Ｓ１６）。この第二の値は、非純正トナーの含有割合が非常に高く、複合機１１による画像形成を即時に停止しなければならないレベルの値である。第二の値として４を設定していた場合、判断部２７により第二の値以上ではないと判断される（Ｓ１６において、ＮＯ）。その後、画像形成をしながら、表示画面２１は、非純正トナーである旨を表示する（Ｓ１７）。これを画像形成が終了するまで行う（Ｓ１８）。なお、第二の値として設定した４という値は、純正トナーが５０％であり、これに非純正トナーＢ１が５０％混入していた場合に相当する。
【００２９】
図７は、非純正トナーである旨を表示した表示画面２１の一例を示す図である。図７を参照して、表示画面２１には、「非純正トナーの混入を検知しました。」との文字５１と、「ＯＫ」と示されており、押下を検知することにより別の画面へ表示画面２１を遷移させる選択キー５２とが表示されている。このようにしてトナー２９に非純正トナーＢ１が含有されていることを報知する。
【００３０】
一方、Ｓ１６において、トナー２９の比誘電率が第二の値以上であった場合（Ｓ１６において、ＹＥＳ）、判断部２７は、画像形成を中止する。すなわち、画像形成の動作を停止する。また、非純正トナーＢ１が混入しており、トナーコンテナ２３の交換を促す旨を表示画面２１に表示する（Ｓ１９）。この場合、例えば、図７に示す表示画面２１において、文字５１の代わりに「このトナーコンテナは、ユーザーサポート外のため、交換する必要があります。」との文字を表示することにより行う。
【００３１】
なお、Ｓ１５において、検知された比誘電率が第一の値に満たなかった場合（Ｓ１５において、ＮＯ）、画像形成が終了するまで、要求を受け付けた画像形成を続行し、電荷量、トナー２９の比誘電率の監視を行う（Ｓ２０、Ｓ１８）。
【００３２】
このような構成の複合機１１によれば、静電容量センサー２５により電荷量を検知し、トナー量を検知することとしている。そうすると、検知結果に基づいて、トナー補給量の算出に利用することができる。また、判断部２７は、検知されたトナーの比誘電率が、所定の範囲内にあるか否かを判断する。そうすると、この判断結果を画像形成に反映させることができる。したがって、非純正トナーの混入による画像形成への影響を低減することができる。この場合、複合機１１が上記した静電容量センサー２５等を備える構成であるため、複合機１１に着脱可能なトナーコンテナ２３一つ一つに上記したセンサーを設ける必要はない。その結果、このような複合機１１は、安価な構成で、良好な画像形成を保つことができる。
【００３３】
なお、このような静電容量センサー２５は、トナー２９と非接触で検知することができるため、取り付け位置に制限はない。この場合、トナー２９による静電容量センサー２５の汚染を防止することができ、検知精度の低下を防止することができる。さらに、トナーそのものを検知するため、トナーコンテナ２３に純正トナーおよび非純正トナーを判断する機構が設けられなかった場合にも対応することができる。
【００３４】
この場合、判断部２７は、トナー２９の比誘電率が第一の値以上であるか否かを判断することとしている。そして、判断部２７によりトナー２９の比誘電率が第一の値以上であれば、非純正トナーが混入されている旨を表示画面２１により表示する構成である。したがって、より適切に非純正トナーが混入しているか否かを視覚的に把握することができる。
【００３５】
また、この場合、判断部２７は、トナー２９の比誘電率が第二の値以上であると判断されれば、画像形成の動作を停止するよう制御している。こうすることにより、非純正トナーの含有割合が多く、複合機１１に対する影響が大きい、例えば、複合機１１の動作不良を引き起こす等が懸念される場合に、画像形成の動作を停止して、複合機１１の動作不良や破損を防止することができる。また、表示画面２１は、判断部２７によりトナーの比誘電率が第二の値以上であると判断されれば、トナーコンテナ２３の交換を促す旨を表示しているため、純正のトナーの使用を促して、複合機１１の損傷を防止すると共に、高画質の維持を図ることができる。
【００３６】
また、この場合、判断部２７による判断結果を表示する表示画面２１を備える構成であるため、非純正トナーが混入してるかといった判断結果を視覚的に分かりやすく外部に報知することができる。
【００３７】
なお、以下のような構成としてもよい。図８は、この発明の他の実施形態に係る複合機に備えられる画像形成部１５周辺を示す図である。図８を参照して、複合機は、帯電機構５６と、除電機構５７とを備える構成である。複合機に備えられる画像形成部１５周辺には、供給路２８のうち、静電容量センサー２５に対してトナー供給方向の上流側に設けられ、トナーコンテナ２３から供給されるトナーを帯電させる帯電機構５６と、静電容量センサー２５に対してトナー供給方向の下流側に設けられ、トナーを除電する除電機構５７とが設けられている。
【００３８】
このように構成することにより、純正トナーと非純正トナーとの間で比誘電率の差が小さい場合であっても、帯電機構５６により十分にトナーを帯電させた上で比誘電率を検知することができる。そうすると、より確実に非純正トナーが含まれているか否かを判断することができる。この場合、現像容器３５内に供給される前に除電機構５７により除電を行っているため、画質に影響を及ぼすことはない。
【００３９】
なお、帯電機構５６においては、例えば、板状のブレードによりトナーを摩擦させることによりトナーを帯電させるようにしてもよい。例えば、ブレードとトナーコンテナ２３のトナー補給ローラーとの間の摩擦によりトナー２９を帯電させる。こうすることにより、物理的により確実にトナーを帯電させることができる。また、帯電機構５６により帯電させたトナー２９について、トナー２９の帯電量が制御可能や帯電量が小さい場合には、特に除電せず、そのまま現像容器３５内に供給することとしてもよい。
【００４０】
なお、上記の実施の形態において、第一の値、および第二の値については、仕向地やユーザー等に応じて、任意に定められる。すなわち、１０％程度の非純正トナーの含有割合でも画像形成を停止させる制御としてもよい。また、含有割合に応じて、非純正トナーが混入している旨の報知のレベルを異ならせることとしてもよい。例えば、非純正トナーの含有割合が第一の値と第二の値との間の第三の値に達したときに、「このトナーは、ユーザーサポートの対象外です。」との表示を表示画面２１に行って、画像形成を続けるようにしてもよい。また、制御部１２による制御により、静電容量センサー２５の検知精度を調整可能な構成としてもよい。
【００４１】
また、上記の実施の形態においては、表示画面２１に判断結果を表示することとしたが、これに限らず、判断部２７による判断結果を音声により報知することにしてもよい。また、表示と併せて音声により報知することとしてもよい。
【００４２】
なお、上記の実施の形態においては、判断部２７は、トナー２９の比誘電率が第一の値や第二の値以上であるか否かを判断することとしたが、これに限らず、判断部２７は、トナー２９の比誘電率が所定の範囲内にあるか否かを判断することとしてもよい。こうすることにより、比誘電率が低い非純正トナーが混入していた場合でも非純正トナーが混入していると判断して、画像形成等に対応することができる。
【００４３】
また、上記の実施の形態において、静電容量センサー２５は、複合機１１に着脱可能に設けられている構成としてもよい。こうすることにより、複合機１１が用いられる状況に応じて静電容量センサー２５を複合機１１に装着して、非純正トナーが含まれているか否かを判断することができる。
【００４４】
なお、上記の実施の形態において、複合機１１は、中間ホッパー２４を備えない構成としてもよい。また、静電容量センサー２５は、トナー２９の供給路２８の一部となる中間ホッパー２４に設けられる構成としてもよい。
【００４５】
また、静電容量センサー２５において、トナー２９の高さを測定する高さ測定センサーを別途設けることにしてもよい。こうすることにより、トナー２９の高さを高さ測定センサーで測定することができる。なお、静電容量センサー２５は、トナー２９と接触させてトナー２９の比誘電率を検知する構成としてもよい。
【００４６】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４７】
この発明に係る画像形成装置は、安価な構成で、良好な画像形成の維持が要求される場合に、特に有効に利用される。
【符号の説明】
【００４８】
１１  複合機、１２  制御部、１３  操作部、１４  画像読み取り部、１５  画像形成部、１６  給紙カセット、１７  ハードディスク、１８  ネットワークインターフェース部、１９  主記憶メモリ、２１  表示画面、２２  ＡＤＦ、２３  トナーコンテナ、２４  中間ホッパー、２５  静電容量センサー、２６  トナー量検知部、２７  判断部、２８  供給路、２９  トナー、３１  現像ユニット、３２  感光体、３３  帯電器、３４  露光器、３５  現像容器、３６  現像ローラー、３７  転写器、３８  クリーニングユニット、３９  クリーニングローラー、４１  クリーニングブレード、４２  除電ランプ、４３  定着器、４６ａ，４６ｂ  電極、４７ａ，４７ｂ，４８ａ，４８ｂ  面、５１  文字、５２  選択キー、５６  帯電機構、５７  除電機構。
【図１】
2019003121.tif 000003
【図２】
2019003121.tif 000004
【図３】
2019003121.tif 000005
【図４】
2019003121.tif 000006
【図５】
2019003121.tif 000007
【図６】
2019003121.tif 000008
【図７】
2019003121.tif 000009
【図８】
2019003121.tif 000010